(57)【要約】【課題】レンズシフトや光ディスクの偏芯、あるいはウォブル差動バランスの調整不十分に係わらず、ウォブル振幅に基づき安定して光ディスクの種類を判別する。【解決手段】光ディスク１からの反射光から光検出信号を生成する光ピックアップ３と、光検出信号からウォブル信号、トラッキングエラー（ＴＥ）信号、フォーカスエラー（ＦＥ）信号を生成する各信号生成部４、６、７と、光ピックアップに対する制御を行うサーボ制御部８と、ウォブル信号の振幅を検出するウォブル振幅検出部１１と、ウォブル振幅を所定の判別閾値と比較する振幅比較部１２と、比較結果に基づき光ディスクの種類を判別する判別制御部１４とを備える。トラックからの光ビームの径方向ずれ量であるレンズシフト量を検出するレンズシフト量検出部１３を備え、ウォブル振幅検出部は、レンズシフト量が所定の基準値以下のときのウォブル信号のみを用いてウォブル振幅値を算出する。【選択図】図１
2009099188.tif 000002
【特許請求の範囲】
【請求項１】
光ディスクを回転駆動するディスク駆動装置と、
前記光ディスクに対して光ビームを照射しその反射光を光電変換して所定の検出成分を含む光検出信号を生成する光ピックアップと、
前記光検出信号からウォブル信号を生成するウォブル信号生成部と、
前記光検出信号からトラッキングエラー信号を生成するトラッキングエラー信号生成部と、
前記光検出信号からフォーカスエラー信号を生成するフォーカスエラー信号生成部と、
前記トラッキングエラー信号及び前記フォーカスエラー信号に基づいて、前記光ピックアップに対するトラッキング制御及びフォーカス制御を行うサーボ制御部と、
前記ウォブル信号の振幅を検出してウォブル振幅値を出力するウォブル振幅検出部と、
前記ウォブル振幅値を所定の判別閾値と比較して、その比較結果を出力する振幅比較部と、
前記比較結果に基づき、装着された前記光ディスクについて、ウォブルトラックが形成された記録可能な光ディスクか、あるいはウォブルが形成されていない再生専用の光ディスクか、その種類を判別して出力する判別制御部とを備えた光ディスク装置において、
前記光ビームの前記光ディスクの信号トラックからの径方向のずれ量であるレンズシフト量を検出して前記判別制御部に供給するレンズシフト量検出部を備え、
前記ウォブル振幅検出部は、前記レンズシフト量が所定の基準値以下のときに生成された前記ウォブル信号のみを用いて前記ウォブル振幅値を算出することを特徴とする光ディスク装置。
【請求項２】
前記レンズシフト量の所定の基準値は、１００μｍである請求項１に記載の光ディスク装置。
【請求項３】
前記レンズシフト量検出部は、前記トラッキングエラー信号の低域成分に基づいて前記レンズシフト量を検出する請求項１に記載の光ディスク装置。
【請求項４】
前記光ディスクの種類を判別する動作を開始するとき、前記判別制御部は、前記サーボ制御部に、前記光ピックアップからの光ビームのスポットを所定のトラックに追従させるシーク動作を行わせ、前記シーク動作が完了した時点から所定の待機時間を経過後、前記ウォブル振幅検出部にウォブル信号の振幅を検出する動作を開始させる請求項１に記載の光ディスク装置。
【請求項５】
前記待機時間は１００ｍｓ以下に設定された請求項４に記載の光ディスク装置。
【請求項６】
前記ウォブル信号生成部は、
前記光検出信号のうち、前記反射光の前記光ディスク径方向における内周側に対応する内周成分信号が供給される内周側振幅調整部と、
前記光検出信号のうち、前記反射光の前記光ディスク径方向における外周側に対応する外周成分信号が供給される外周側振幅調整部と、
前記外周側振幅調整部の出力信号と前記内周側振幅調整部の出力信号の差動信号を生成する第一の差動信号生成部と、
前記差動信号に対して所定のフィルタ処理を施して前記ウォブル信号として出力するフィルタと、
前記内周側振幅調整部の増幅利得Ｇｉに対する前記外周側振幅調整部の増幅利得Ｇｏの比Ｇｏ／Ｇｉであるウォブル差動バランスを調整するウォブル差動バランス調整部とを備え、
前記判別制御部は、
前記ウォブル差動バランス調整部により設定される互いに異なる複数の前記ウォブル差動バランスの条件下でそれぞれ、前記ウォブル振幅検出部による前記ウォブル振幅の検出、前記レンズシフト量検出部によるレンズシフト量の検出、及び前記振幅比較部による前記ウォブル振幅値と前記判別閾値の比較動作が行われるように制御し、
前記複数のウォブル差動バランスと、各々の条件下で前記振幅比較部から出力される前記比較結果とに基づき、前記光ディスクの種類を判別する請求項１に記載の光ディスク装置。
【請求項７】
前記ウォブル振幅検出部は、
前記ウォブル信号のピーク値を検出するピーク信号検出部と、
前記ウォブル信号のボトム値を検出するボトム信号検出部と、
前記ピーク信号検出部の出力信号と前記ボトム信号検出部の出力信号の差動信号を生成する第二の差動信号生成部とを備え、
前記第二の差動信号生成部の出力信号としてウォブル振幅値を得る請求項１に記載の光ディスク装置。
【請求項８】
前記判別制御部は、いずれか１つの前記ウォブル差動バランスの条件下での前記比較結果として、前記ウォブル振幅が前記判別閾値を超えていないことが示された場合は、再生専用の光ディスクと判定し、全ての前記ウォブル差動バランスの条件下での前記比較結果として、前記ウォブル振幅が前記判別閾値を超えていることが示された場合は、記録可能な光ディスクと判定する請求項６に記載の光ディスク装置。
【請求項９】
前記ウォブル振幅検出部は、前記複数のウォブル差動バランスの各々について、前記光ディスクが所定回転する期間に、前記ウォブル振幅の検出のための測定を各々所定の時間間隔で複数セット行い、前記複数の測定セットについて各々、複数のサンプリング時点での前記ウォブル信号の振幅を測定し、
前記レンズシフト量検出部は、前記各測定セット毎に前記レンズシフト量を検出し、
前記レンズシフト量が基準値以下のときに対応する前記各測定セットにおける前記複数のサンプリング時点での前記ウォブル信号の振幅の平均値が、前記各ウォブル差動バランスの条件下での前記ウォブル振幅値として前記振幅比較部に供給される請求項６または８に記載の光ディスク装置。
【請求項１０】
前記ウォブル信号生成部は、前記第一の差動信号生成部からの差動出力信号に対してフィルタ処理を施すバンドパスフィルタを備え、
前記バンドパスフィルタのＱ値が、０．５≦Ｑ≦０．７の範囲に設定された請求項６に記載の光ディスク装置。
【請求項１１】
光ディスクに対して光ビームを照射しその反射光を光電変換して所定の検出成分を含む光検出信号を生成する工程と、
前記光検出信号からウォブル信号を生成する工程と、
前記光検出信号からトラッキングエラー信号を生成する工程と、
前記ウォブル信号の振幅を検出してウォブル振幅値を得る工程と、
前記ウォブル振幅値を所定の判別閾値と比較する工程と、
前記比較の結果に基づき、装着された前記光ディスクについて、ウォブルトラックが形成された記録可能な光ディスクか、あるいはウォブルが形成されていない再生専用の光ディスクか、その種類を判別する工程とを備えた光ディスク種類の判別方法において、
前記光ビームの前記光ディスクの信号トラックからの径方向のずれ量であるレンズシフト量を検出する工程を備え、
前記ウォブル振幅値を得る工程では、前記レンズシフト量が所定の基準値以下のときに生成された前記ウォブル信号のみを用いて前記ウォブル振幅値を算出することを特徴とする光ディスク種類の判別方法。
【請求項１２】
前記レンズシフト量の所定の基準値を、１００μｍとする請求項１１に記載の光ディスク種類の判別方法。
【請求項１３】
前記トラッキングエラー信号の低域成分に基づいて前記レンズシフト量を検出する請求項１１に記載の光ディスク種類の判別方法。
【請求項１４】
前記光ビームのスポットを所定のトラックに追従させるシーク動作を行わせる工程を備え、
前記シーク動作が完了した時点から所定の待機時間を経過後、前記光ディスクの種類を判別する動作のための前記光検出信号を生成する工程を開始する請求項１１に記載の光ディスク種類の判別方法。
【請求項１５】
前記待機時間を１００ｍｓ以下に設定する請求項１４に記載の光ディスク種類の判別方法。
【請求項１６】
前記光検出信号のうち、前記反射光の前記光ディスク径方向における内周側及び外周側に各々対応する内周成分信号及び外周成分信号を取得して、それらの振幅を各々所定の増幅利得Ｇｉ及びＧｏにより調整し、前記増幅利得Ｇｉで増幅された前記内周成分信号と前記増幅利得Ｇｏで増幅された前記外周成分信号の差動信号を生成し、所定のフィルタ処理を施すことにより、前記ウォブル信号の生成を行い、
前記増幅利得Ｇｉに対する前記増幅利得Ｇｏの比Ｇｏ／Ｇｉであるウォブル差動バランスを互いに異ならせた複数の条件下でそれぞれ、前記ウォブル振幅の検出、前記レンズシフト量の検出、及び前記ウォブル振幅値と前記判別閾値との比較動作を行い、
前記複数のウォブル差動バランスと、各々の条件下で前記振幅比較部から出力される前記比較結果とに基づき、前記光ディスクの種類を判別する請求項１１に記載の光ディスク種類の判別方法。
【請求項１７】
前記ウォブル信号のピーク信号及びボトム信号を取得して、それらの差動信号を生成することにより、前記ウォブル振幅値を得る請求項１１に記載の光ディスク種類の判別方法。
【請求項１８】
いずれか１つの前記ウォブル差動バランスの条件下での前記比較結果として、前記ウォブル振幅が前記判別閾値を超えていないことが示された場合は、再生専用の光ディスクと判定し、全ての前記ウォブル差動バランスの条件下での前記比較結果として、前記ウォブル振幅が前記判別閾値を超えていることが示された場合は、記録可能な光ディスクと判定する請求項１６に記載の光ディスク種類の判別方法。
【請求項１９】
前記複数のウォブル差動バランスの各々について、前記光ディスクが所定回転する期間に、前記ウォブル振幅の検出のための測定を各々所定の時間間隔で複数セット行い、前記複数の測定セットについて各々、複数のサンプリング時点での前記ウォブル信号の振幅を測定し、
前記各測定セット毎に前記レンズシフト量を検出し、
前記レンズシフト量が基準値以下のときに対応する前記各測定セットにおける前記複数のサンプリング時点での前記ウォブル信号の振幅の平均値を、前記各ウォブル差動バランスの条件下での前記ウォブル振幅値とする請求項１６または１８に記載の光ディスク種類の判別方法。
【請求項２０】
前記差動出力信号に対して前記フィルタ処理を施すバンドパスフィルタのＱ値を、０．５≦Ｑ≦０．７の範囲に設定する請求項１６に記載の光ディスク種類の判別方法。
【発明の詳細な説明】
【技術分野】
【０００１】
本発明は、光情報記録媒体を用いて記録あるいは再生を行うための光ディスク装置、特に、再生専用の光ディスクと記録可能な光ディスクを判別する機能を有する光ディスク装置、及び光ディスク種類の判別方法に関する。
【背景技術】
【０００２】
従来、ＣＤ（Compact Disc）−ＲＯＭ（Read Only Memory）、ＤＶＤ（Digital Versatile Disc）−ＲＯＭなどの、あらかじめ情報が記録された再生専用の光ディスクと、ＣＤ−Ｒ（Recordable）、ＣＤ−ＲＷ（Rewritable）、ＤＶＤ−Ｒ、ＤＶＤ−ＲＷなどの、情報を記録可能な光ディスクのいずれも取り扱うことが可能な光ディスク装置が知られている。
【０００３】
ＣＤ−ＲＯＭ、ＤＶＤ−ＲＯＭでは、基板上にピット列が螺旋状に形成されており、このピット列に光ビームを照射して情報を再生する。一方、ＣＤ−Ｒ、ＣＤ−ＲＷ、ＤＶＤ−Ｒ、ＤＶＤ−ＲＷでは、基板上に蛇行（ウォブリング）したグルーブトラックが螺旋状に形成されており、このグルーブに光ビームを照射することにより情報を記録再生する。トラックのウォブリングを検出することによりウォブル信号が得られ、ウォブル信号に基づき、記録クロック生成やアドレス情報検出などを可能とする機能が得られる。
【０００４】
このように、再生専用の光ディスクと記録可能な光ディスクには、信号トラックの形態に相違があるため、装着された光ディスクの種類を判別する必要がある。判別方法としては、記録可能な光ディスクに特有のウォブル信号を検出し、その振幅の大きさを基準レベルと比較することにより光ディスクの種類を判別することが知られている。
【０００５】
ウォブル信号を検出するためには、光ビームの反射光を光電変換した光検出信号のうち、光ディスクの径方向の外周側と内周側に対応する各検出成分の差動信号を生成する。光ディスクの種類を判別する際には、光ビームのトラッキングサーボ制御を停止し、フォーカス制御のみを動作させた再生状態で、あるいは、光ビームのトラッキングサーボ制御も動作させた再生状態で、外周側と内周側に対応する各検出成分の差動信号を生成し、その振幅を基準レベルと比較する。しかしながら、光ディスクの回転状態や、回路特性のばらつき等の種々の原因により、差動信号にはトラックのウォブルとは無関係の振幅のばらつきが生じ、ウォブル信号の振幅を精度良く検出することが困難な場合がある。そのような場合は、基準レベルの設定が困難であって、誤判別が発生するおそれがある。
【０００６】
そこで、特許文献１には、ラジアルプッシュプルプッシュプル信号（差動信号）を平滑化して偏芯によるうねり成分を除去し、２値化処理した後、自己相関演算により求めた自己相関値を用いることが開示されている。すなわち、この自己相関値の所定期間における最大値を最大値ホールド回路で算出し、その大きさに基づいて、情報媒体の種類が再生専用であるか、記録可能であるかを判別することにより、誤判別発生の回避を可能とする。
【特許文献１】特開２００４−５５０７９号公報
【発明の開示】
【発明が解決しようとする課題】
【０００７】
上述のような、トラックのウォブルとは無関係のばらつきを差動信号に生じさせる原因として、光ディスク上の信号トラックからの光ビームのオフトラック量に相当するレンズシフト量や、光ディスクの偏芯がある。レンズシフト量や、光ディスクの偏芯が大きいと、ウォブル信号の振幅の検出結果がばらつき、光ディスク種類の誤判別が発生し易い。
【０００８】
一方従来、ウォブル信号を安定して検出するためには、ウォブル差動バランスの調整が必要であった。ウォブル差動バランスとは、上述の外周側と内周側に対応する各検出成分の差動信号を生成する際の、外周側と内周側の各成分の増幅利得の比率を意味する。すなわち通常、種々の要因により、外周側と内周側の各検出成分にはトラックのウォブルとは無関係に、出力レベルにアンバランスが生じる。そのような差異を解消するためには、製造工程において増幅利得の比率を調整することが必要であった。
【０００９】
しかし、製造工程を簡素化するために、ウォブル差動バランスの調整を不要とすることが望まれていた。ところが、ウォブル差動バランスの調整をしない場合、ウォブル検出信号の増幅利得のバランスのずれが残されて、ウォブル信号の振幅を精度良く検出することが困難になり、誤判別が発生するおそれがある。
【００１０】
以上のような背景に対して、特許文献１に開示された方法は、偏芯によるうねり成分を除去してウォブル信号の検出精度向上に効果はあるかもしれないが、自己相関演算のための回路を要し、装置の複雑化を免れない。また、製造工程におけるウォブル差動バランスの調整を不要とするところまで、判別の安定化に効果があるかどうか不明である。
【００１１】
そこで本発明は、レンズシフトや光ディスクの偏芯があっても、あるいはウォブル差動バランスの調整が不十分であったとしても、ウォブル信号の振幅に基づき、安定して光ディスクの種類を判別可能な光ディスク装置、及び光ディスク種類の判別方法を提供することを目的とする。
【課題を解決するための手段】
【００１２】
本発明の光ディスク装置は、光ディスクを回転駆動するディスク駆動装置と、前記光ディスクに対して光ビームを照射しその反射光を光電変換して所定の検出成分を含む光検出信号を生成する光ピックアップと、前記光検出信号からウォブル信号を生成するウォブル信号生成部と、前記光検出信号からトラッキングエラー信号を生成するトラッキングエラー信号生成部と、前記光検出信号からフォーカスエラー信号を生成するフォーカスエラー信号生成部と、前記トラッキングエラー信号及び前記フォーカスエラー信号に基づいて、前記光ピックアップに対するトラッキング制御及びフォーカス制御を行うサーボ制御部と、前記ウォブル信号の振幅を検出してウォブル振幅値を出力するウォブル振幅検出部と、前記ウォブル振幅値を所定の判別閾値と比較して、その比較結果を出力する振幅比較部と、前記比較結果に基づき、装着された前記光ディスクについて、ウォブルトラックが形成された記録可能な光ディスクか、あるいはウォブルが形成されていない再生専用の光ディスクか、その種類を判別して出力する判別制御部とを備える。
【００１３】
上記課題を解決するために、前記光ビームの前記光ディスクの信号トラックからの径方向のずれ量であるレンズシフト量を検出して前記判別制御部に供給するレンズシフト量検出部を備え、前記ウォブル振幅検出部は、前記レンズシフト量が所定の基準値以下のときに生成された前記ウォブル信号のみを用いて前記ウォブル振幅値を算出する。
【００１４】
本発明の光ディスク種類の判別方法は、光ディスクに対して光ビームを照射しその反射光を光電変換して所定の検出成分を含む光検出信号を生成する工程と、前記光検出信号からウォブル信号を生成する工程と、前記光検出信号からトラッキングエラー信号を生成する工程と、前記ウォブル信号の振幅を検出してウォブル振幅値を得る工程と、前記ウォブル振幅値を所定の判別閾値と比較する工程と、前記比較の結果に基づき、装着された前記光ディスクについて、ウォブルトラックが形成された記録可能な光ディスクか、あるいはウォブルが形成されていない再生専用の光ディスクか、その種類を判別する工程とを備える。
【００１５】
上記課題を解決するために、前記光ビームの前記光ディスクの信号トラックからの径方向のずれ量であるレンズシフト量を検出する工程を備え、前記ウォブル振幅値を得る工程では、前記レンズシフト量が所定の基準値以下のときに生成された前記ウォブル信号のみを用いて前記ウォブル振幅値を算出する。
【発明の効果】
【００１６】
上記構成の光ディスク装置、あるいは光ディスク種類の判別方法によれば、レンズシフト量を検出して、レンズシフト量が所定の基準値以下のときに生成されたウォブル信号のみを用いてウォブル振幅値を算出することにより、レンズシフトや偏芯、あるいはウォブル差動バランスのずれに起因する不適切な検出データを排除して、安定した判別結果を得ることが可能である。
【発明を実施するための最良の形態】
【００１７】
本発明の光ディスク装置あるいは光ディスク種類の判別方法は、上記構成を基本として、以下のような種々の態様をとることができる。
【００１８】
すなわち、本発明の光ディスク装置において、前記レンズシフト量の所定の基準値は、１００μｍとすることが好ましい。それにより、実用上、十分に安定した光ディスク種類の判別が可能となる。
【００１９】
また、前記レンズシフト量検出部は、前記トラッキングエラー信号の低域成分に基づいて前記レンズシフト量を検出することができる。それにより、簡単な構成で、レンズシフト量を検出することができる。
【００２０】
また、前記光ディスクの種類を判別する動作を開始するとき、前記判別制御部は、前記サーボ制御部に、前記光ピックアップからの光ビームのスポットを所定のトラックに追従させるシーク動作を行わせ、前記シーク動作が完了した時点から所定の待機時間を経過後、前記ウォブル振幅検出部にウォブル信号の振幅を検出する動作を開始させることが好ましい。それにより、シーク動作の完了直後におけるレンズシフトが安定しない状態を回避して、安定したウォブル振幅を得ることができる。その場合の前記待機時間は、１００ｍｓ以下に設定されることが好ましい。
【００２１】
また前記ウォブル信号生成部は、前記光検出信号のうち、前記反射光の前記光ディスク径方向における内周側に対応する内周成分信号が供給される内周側振幅調整部と、前記光検出信号のうち、前記反射光の前記光ディスク径方向における外周側に対応する外周成分信号が供給される外周側振幅調整部と、前記外周側振幅調整部の出力信号と前記内周側振幅調整部の出力信号の差動信号を生成する第一の差動信号生成部と、前記差動信号に対して所定のフィルタ処理を施して前記ウォブル信号として出力するフィルタと、前記内周側振幅調整部の増幅利得Ｇｉに対する前記外周側振幅調整部の増幅利得Ｇｏの比Ｇｏ／Ｇｉであるウォブル差動バランスを調整するウォブル差動バランス調整部とを備え、前記判別制御部は、前記ウォブル差動バランス調整部により設定される互いに異なる複数の前記ウォブル差動バランスの条件下でそれぞれ、前記ウォブル振幅検出部による前記ウォブル振幅の検出、前記レンズシフト量検出部によるレンズシフト量の検出、及び前記振幅比較部による前記ウォブル振幅値と前記判別閾値の比較動作が行われるように制御し、前記複数のウォブル差動バランスと、各々の条件下で前記振幅比較部から出力される前記比較結果とに基づき、前記光ディスクの種類を判別する構成とすることができる。
【００２２】
この構成によれば、製造工程におけるウォブル差動バランスの調整が不十分であっても、十分に安定した光ディスクの種類の判別結果を得ることができる。
【００２３】
前記ウォブル振幅検出部は、前記ウォブル信号のピーク値を検出するピーク信号検出部と、前記ウォブル信号のボトム値を検出するボトム信号検出部と、前記ピーク信号検出部の出力信号と前記ボトム信号検出部の出力信号の差動信号を生成する第二の差動信号生成部とを備え、前記第二の差動信号生成部の出力信号としてウォブル振幅値を得る構成とすることができる。
【００２４】
この場合、前記判別制御部は、いずれか１つの前記ウォブル差動バランスの条件下での前記比較結果として、前記ウォブル振幅が前記判別閾値を超えていないことが示された場合は、再生専用の光ディスクと判定し、全ての前記ウォブル差動バランスの条件下での前記比較結果として、前記ウォブル振幅が前記判別閾値を超えていることが示された場合は、記録可能な光ディスクと判定する構成とすることができる。
【００２５】
また、前記ウォブル振幅検出部は、前記複数のウォブル差動バランスの各々について、前記光ディスクが所定回転する期間に、前記ウォブル振幅の検出のための測定を各々所定の時間間隔で複数セット行い、前記複数の測定セットについて各々、複数のサンプリング時点での前記ウォブル信号の振幅を測定し、前記レンズシフト量検出部は、前記各測定セット毎に前記レンズシフト量を検出し、前記レンズシフト量が基準値以下のときに対応する前記各測定セットにおける前記複数のサンプリング時点での前記ウォブル信号の振幅の平均値が、前記各ウォブル差動バランスの条件下での前記ウォブル振幅値として前記振幅比較部に供給される構成とすることができる。
【００２６】
また、前記ウォブル信号生成部は、前記第一の差動信号生成部からの差動出力信号に対してフィルタ処理を施すバンドパスフィルタを備え、前記バンドパスフィルタのＱ値が、０．５≦Ｑ≦０．７の範囲に設定されることが好ましい。それにより、バンドパスフィルタの通過帯域の中心周波数がウォブル信号の中心周波数から多少ずれている場合であっても、ウォブル振幅の検出を安定して行うことができる。
【００２７】
本発明の光ディスク種類の判別方法において、前記レンズシフト量の所定の基準値を、１００μｍとすることが好ましい。
【００２８】
また、前記トラッキングエラー信号の低域成分に基づいて前記レンズシフト量を検出することができる。
【００２９】
また、前記光ビームのスポットを所定のトラックに追従させるシーク動作を行わせる工程を備え、前記シーク動作が完了した時点から所定の待機時間を経過後、前記光ディスクの種類を判別する動作のための前記光検出信号を生成する工程を開始することが好ましい。またその場合、前記待機時間を１００ｍｓ以下に設定することが好ましい。
【００３０】
また、前記光検出信号のうち、前記反射光の前記光ディスク径方向における内周側及び外周側に各々対応する内周成分信号及び外周成分信号を取得して、それらの振幅を各々所定の増幅利得Ｇｉ及びＧｏにより調整し、前記増幅利得Ｇｉで増幅された前記内周成分信号と前記増幅利得Ｇｏで増幅された前記外周成分信号の差動信号を生成し、所定のフィルタ処理を施すことにより、前記ウォブル信号の生成を行い、前記増幅利得Ｇｉに対する前記増幅利得Ｇｏの比Ｇｏ／Ｇｉであるウォブル差動バランスを互いに異ならせた複数の条件下でそれぞれ、前記ウォブル振幅の検出、前記レンズシフト量の検出、及び前記ウォブル振幅値と前記判別閾値との比較動作を行い、前記複数のウォブル差動バランスと、各々の条件下で前記振幅比較部から出力される前記比較結果とに基づき、前記光ディスクの種類を判別することができる。
【００３１】
また、前記ウォブル信号のピーク信号及びボトム信号を取得して、それらの差動信号を生成することにより、前記ウォブル振幅値を得ることができる。
【００３２】
この場合、いずれか１つの前記ウォブル差動バランスの条件下での前記比較結果として、前記ウォブル振幅が前記判別閾値を超えていないことが示された場合は、再生専用の光ディスクと判定し、全ての前記ウォブル差動バランスの条件下での前記比較結果として、前記ウォブル振幅が前記判別閾値を超えていることが示された場合は、記録可能な光ディスクと判定することができる。
【００３３】
また、前記複数のウォブル差動バランスの各々について、前記光ディスクが所定回転する期間に、前記ウォブル振幅の検出のための測定を各々所定の時間間隔で複数セット行い、前記複数の測定セットについて各々、複数のサンプリング時点での前記ウォブル信号の振幅を測定し、前記各測定セット毎に前記レンズシフト量を検出し、前記レンズシフト量が基準値以下のときに対応する前記各測定セットにおける前記複数のサンプリング時点での前記ウォブル信号の振幅の平均値を、前記各ウォブル差動バランスの条件下での前記ウォブル振幅値とすることができる。
【００３４】
また、前記差動出力信号に対して前記フィルタ処理を施すバンドパスフィルタのＱ値を、０．５≦Ｑ≦０．７の範囲に設定することが好ましい。
【００３５】
以下、本発明の実施形態について図面を参照しながら説明する。
【００３６】
図１は、本発明の実施の形態における光ディスク装置の要部を示すブロック図である。同図は、光ディスク種類の判別機能に関する構成を中心として示すものであり、信号の再生に関する構成については図示が簡略化され、信号の記録に関する構成については図示が省略されているが、周知の技術に従って構成される。また、本実施の形態の光ディスク装置は、ＣＤ−ＲＯＭとＣＤ−Ｒを判別する構成を例として記載される。
【００３７】
光ディスク１（ＣＤ−ＲＯＭまたはＣＤ−Ｒ）は、スピンドルモータ２により、従来周知の方法に基づき所定の回転数に制御されて回転駆動される。光ディスク１の記録面には、光ピックアップ３によりレーザ光が照射される。光ピックアップ３は、周知の例えば４分割光検出器等の光検出器を有し、光ディスク１から反射されたレーザ光を光電変換して、所定の検出成分を含む光検出信号を生成する。光ピックアップ３からの光検出信号は、ウォブル信号生成部４、情報信号再生部５、トラッキングエラー信号生成部６、及びフォーカスエラー信号生成部７にそれぞれ供給される。
【００３８】
ウォブル信号生成部４は、光検出信号に基づいてウォブル信号を生成する。また光検出信号に基づき、トラッキングエラー信号生成部６はトラッキングエラー信号を生成し、フォーカスエラー信号生成部７はフォーカスエラー信号を生成して、サーボ制御部８に供給する。サーボ制御部８は、フォーカスエラー信号及びトラッキングエラー信号に基づき、光ピックアップ３に対するトラッキング制御及びフォーカス制御を行う。
【００３９】
なお、光ピックアップ３、情報信号再生部５、トラッキングエラー信号生成部６、フォーカスエラー信号生成部７、及びサーボ制御部８は、周知の種々の技術に基づいて構成することができるため、それらの具体的な構成についての図示及び詳細な説明は省略する。
【００４０】
ウォブル振幅検出ブロック９は、ウォブル信号生成部４、ウォブル差動バランス調整部１０、及びウォブル振幅検出部１１からなる。ウォブル信号生成部４は光検出信号から、光ディスク１の径方向における内周側からの反射光に対応する内周成分信号と、外周側からの反射光に対応する外周成分信号とを得て、その差動信号を生成し必要な処理を加えて、ウォブル信号を生成する。ウォブル差動バランス調整部１０は、差動信号を生成する前の内周成分信号と外周成分信号の振幅のバランスを調整する。その動作の詳細は後述する。ウォブル信号生成部４により生成されたウォブル信号は、ウォブル振幅検出部１１によりその振幅が検出される。検出されたウォブル信号の振幅（ウォブル振幅）は、振幅比較部１２に供給される。
【００４１】
振幅比較部１２は、ウォブル振幅を所定の判別閾値、すなわちＣＤ−ＲＯＭとＣＤ−Ｒを判別する基準となるウォブル振幅の値と比較する。振幅比較部１２によるウォブル振幅を判別閾値と比較した結果は、判別制御部１４に供給される。判別制御部１４には、レンズシフト量検出部１３からレンズシフト量のデータも供給される。
【００４２】
レンズシフト量は、光ディスク１上の信号トラックに対する光ピックアップ３の径方向位置ずれであり、信号トラックに対する光ビームのずれ量であるオフトラック量と実質的に同一である。従ってレンズシフト量検出部１３は、トラッキングエラー信号生成部６から出力されるトラッキングエラー信号の低域成分に基づき、レンズシフト量を検出する。
【００４３】
ウォブル振幅検出部１１は後述するように、レンズシフト量が所定の範囲内であるときに限り、ウォブル信号の振幅（ウォブル振幅）を検出結果として出力するように制御される。従って振幅比較部１２には、レンズシフト量が所定の範囲内であるときにのみウォブル振幅のデータが供給される。結局、判別制御部１４は実質的に、レンズシフト量が所定の範囲内である場合に限って、振幅比較部１２からの出力に基づき、光ディスク１が、所定のウォブリングされたグルーブトラックを有するものか否か、すなわち、ＣＤ−ＲＯＭであるかＣＤ−Ｒであるかを判別するための動作を行うことが可能である。以上のような、レンズシフト量の検出、及びそれに基づくに基づくウォブル振幅検出部１１の動作は、判別制御部１４により制御される。
【００４４】
また、光ディスク種類の判別の動作に際して判別制御部１４は、ウォブル差動バランス調整部１０による増幅利得のバランスを変化させることが可能である。その詳細については、後述する。また、本実施の形態では、判別制御部１４は、光ディスク１の判別動作中であっても、トラッキング制御を動作させた状態となるようにサーボ制御部８を制御するが、光ディスク１の判別動作中、判別制御部１４は、トラッキング制御を動作させず、フォーカス制御のみを動作させた状態となるようにサーボ制御部８を制御してもよい。
【００４５】
図２は、図１におけるウォブル振幅検出ブロック９の構成をより詳細に示したブロック図である。ウォブル信号生成部４は、内周側加算信号生成部１５、外周側加算信号生成部１６、内周側振幅調整部１７、外周側振幅調整部１８、第一の差動信号生成部１９、ローパスフィルタ２０、及びバンドパスフィルタ２１からなる。光ピックアップ３の出力信号は、内周部加算信号生成部１５、及び外周部加算信号生成部１６にそれぞれ入力される。
【００４６】
内周部加算信号生成部１５、及び外周部加算信号生成部１６はそれぞれ、反射光の光ディスク１の径方向における内周側に対応する内周成分信号と、外周側に対応する外周成分信号を各々算出する。すなわち、４分割光検出器の内周側用の２つの検出部の出力信号を加算した信号、及び外周側用の２つの検出部の出力信号を加算した信号をそれぞれ出力する。内周成分信号、外周成分信号はそれぞれ、内周側振幅調整部１７及び外周側振幅調整部１８により所定の利得で増幅された後、第一の差動信号生成部１９に入力される。
【００４７】
内周側及び外周側振幅調整部１７、１８は、ウォブル差動バランス調整部１０により、相互の出力信号振幅のバランスを変化させることが可能である。すなわち、ウォブル差動バランス調整部１０は、外周側振幅調整部１８の利得Ｇｏと、内周側振幅調整部１７の利得Ｇｉとの比であるＧｏ／Ｇｉを調整することにより、双方から出力される信号の振幅のバランスを調整する。ウォブル差動バランス調整部１０の動作は、前述のとおり、判別制御部１４により制御される。
【００４８】
第一の差動信号生成部１９では、内周側及び外周側振幅調整部１７、１８の出力の差動演算を行い、ウォブル差動信号を出力する。従って、ウォブル差動バランス調整部１０によるバランス調整、すなわちＧｏ／Ｇｉ比の設定に応じて、第一の差動信号生成部１９から出力される差動演算結果としてのウォブル差動信号の振幅が変化する。ウォブル差動バランス調整部１０によるバランス調整動作は、回路特性等のアンバランスを製造段階での調整なしに緩和して、ウォブル信号を精度良く検出することを可能とするものである。具体的な調整機能については、後述する。
【００４９】
第一の差動信号生成部１９から出力されるウォブル差動信号は、ローパスフィルタ２０、及びバンドパスフィルタ２１によるフィルタ処理を経て、ウォブル信号生成部４から出力されるウォブル信号となり、ウォブル振幅検出部１１に出力される。ローパスフィルタ２０は、高周波域でのノイズ等を除去するために用いられる。バンドパスフィルタ２１は、ウォブル信号の中心周波数近傍の帯域の信号を通過させ、ウォブル信号を精度良く抽出するために用いられる。バンドパスフィルタ２１は、後述するような所定の帯域通過特性に設定されている。ウォブル振幅検出部１１では、ウォブル信号の振幅を検出して、振幅比較部１２に出力する。
【００５０】
上記構成の光ディスク装置における、光ディスク種類の判別動作の概要について、図１を参照して説明する。
【００５１】
まず、光ディスク装置に光ディスク１が装着され、判別制御部１４によりサーボ制御部８を動作させてシーク動作が行われる。その後、判別制御部１４にディスク判別動作を開始する指令が送られる。
【００５２】
その状態で、ウォブル信号生成部４はウォブル信号を生成し、ウォブル振幅検出部１１がウォブル振幅を検出して、検出結果を振幅比較部１２に供給する。振幅比較部１２では、ウォブル振幅を所定の判別閾値と比較し、その比較結果を判別制御部１４に出力する。但し、ウォブル振幅検出部１１の動作は、レンズシフト量検出部１３の出力信号に基づき判別制御部１４による制御を受ける。なお、ウォブル信号生成部４の動作も上述のとおり、ウォブル差動バランス調整部１０を介した判別制御部１４による制御を受ける。
【００５３】
判別制御部１４は、レンズシフト量が所定の範囲内であるときに限りウォブル振幅を検出するための演算を行うように、ウォブル振幅検出部１１を制御する。そのような制御を行う理由は、以下のとおりである。
【００５４】
すなわち、レンズシフトが発生すると、ウォブル信号振幅の検出値に変動を生じ、振幅が大きく検出される傾向がある。光ディスクの偏芯が大きい場合は、常時レンズシフトしている状態なので、振幅が大きく検出される。従って、レンズシフトが大きい状態で生成されたウォブル信号について検出されたウォブル振幅を用いた場合、誤判別が発生する可能性が高い。
【００５５】
レンズシフト量と、それに起因して変動した検出ウォブル信号の振幅の関係の一例を、図３に示す。横軸はレンズシフト量を、縦軸はウォブル振幅を示す。この関係はＣＤ−ＲＯＭについて測定したものである。従って、図３におけるウォブル振幅は、ウォブルトラックが形成されていない光ディスクを装着したときにウォブル信号生成部４により生成される、レンズシフトに起因するノイズ成分の変動振幅を示したものである。
【００５６】
破線で示したＣＤ−ＲＯＭ／Ｒ判別閾値は、ＣＤ−ＲＯＭとＣＤ−Ｒを判別する基準となるウォブル振幅の値である。この判別閾値は、光ディスクの種類に応じて得られるウォブル振幅を考慮した場合の、実用上妥当な値を示す。また図示されるように、レンズシフト量が大きくなるにつれて、ウォブル振幅は増大する。このようなレンズシフト量の増大に伴うウォブル振幅の増大は、光ディスク上のトラックのウォブルに対応するものではない。
【００５７】
図中のドットを付した範囲は、レンズシフト量が１００μｍ以内の範囲を示す。この範囲であれば、ＣＤ−ＲＯＭ／Ｒ判別閾値に対して、ウォブルに対応しないウォブル振幅は十分に小さくなり、誤判定を回避可能である。従って、レンズシフト量が１００μｍ以内（±１００μｍ以下）の場合のみ、ウォブル信号生成部４により生成されるウォブル信号を適切なデータとして扱い、ウォブル振幅検出部１１によりウォブル振幅を算出する。種々の光ディスクの仕様、装置特性のばらつき等による変動を考慮した場合でも、レンズシフト量が１００μｍ以内の条件で検出されたデータを用いれば、実用的に良好な結果が得られる。
【００５８】
また特に、シーク直後はウォブル振幅の変動、すなわち、レンズシフトに起因して検出されるウォブル信号の振幅が大きくなる。このウォブル振幅の変動は、時間の経過とともに緩和され、レンズシフトはシーク直後よりも小さい範囲に安定する。従って、レンズシフトが緩和されるまでは、以降の動作を開始しないように待機することが望ましい。待機時間は長いほど安定するが、実用上は記録再生動作を開始するまでの時間を短縮する必要があるため、待機時間の設定には上限があり、最大１００ｍｓとすることが望ましい。
【００５９】
以上の光ディスク種類の判別動作について、図１及び図４を参照して、より詳細に説明する。図４は、上記構成の光ディスク装置における光ディスクの種類を判別する動作を示すフローチャートである。判別動作が開始されると、まず光ディスク上の所定のトラックに対するシーク動作が行われる（ステップＳ１）。シーク動作が完了したのち、レンズシフトが緩和されるまで所定の時間、以降の動作を開始せずに待機する（ステップＳ２）。待機時間は、上述のように１００ｍｓ以下とする。
【００６０】
次に、ウォブル振幅の検出を行う（ステップＳ３）。このステップＳ３は、ウォブル振幅及びレンズシフトの測定（ステップＳ３ａ）と、ウォブル振幅の計算（ステップＳ３ｂ）を含む。ウォブル振幅の測定は、ウォブル振幅検出部１１により、ウォブル信号生成部４から供給されるウォブル信号に対して行われる。その詳細について、図８を参照して説明する。図８は、上記構成の光ディスク装置におけるウォブル振幅検出部１１の構成をより詳細に示したブロック図である。ウォブル信号生成部４から供給されるウォブル信号は、ピーク信号検出部２２、及びボトム信号検出部２３において、ウォブル信号のピーク値、ボトム値が各々検出される。第二の差動信号生成部２４では、ピーク信号検出部２２とボトム信号検出部２３の出力の差動演算を行い、差動演算結果としてウォブル振幅の測定が行われる。レンズシフトの測定は、レンズシフト量検出部１３により、トラッキングエラー信号の低域成分を抽出することにより行われる。ステップＳ３ａとＳ３ｂは、図４には図示の便宜上、順次記載されているが、以下に説明するとおり、単純に順次実行される訳ではない。
【００６１】
ウォブル振幅及びレンズシフトの測定（ステップＳ３ａ）と、ウォブル振幅の計算（ステップＳ３ｂ）は、光ディスク１が２回転する期間に行われる。１回転の期間を１８分割し、２回転分で合計３６セットの測定を行う。各セットの測定が行われる時間間隔は１．８ｍｓであり、その時間間隔内に約１８０点のサンプリングによりデータを取得する。従って各サンプリングは、約１０μｓ（＝１．８ｍｓ／１８０点）の時間間隔で行われる。各測定セットにおける１８０点のサンプリングによる測定を実行する毎に、レンズシフト測定の結果に応じて、ウォブル振幅の計算を行う。その詳細について、図５を参照して説明する。
【００６２】
図５は、ステップＳ３によるウォブル振幅の検出の動作を詳細に示すフローチャートである。まず、ステップＳ１１では、上述の３６回の測定セットのうちの１セット分の測定を行う。すなわち、１セット分の測定における１８０点のサンプリング点について、ウォブル振幅及びレンズシフトの測定を行う。次にステップＳ１２では、各サンプリング点での測定結果について、測定が正常に行われた場合を有効データとし、正常に行われなかった場合を無効データとして、有効データ数が９０個以上であるか否かを判定する。有効データ数が９０個以上であればステップＳ１３に進み、有効データ数が９０個に満たなければステップＳ１５に進む。
【００６３】
ステップＳ１３では、レンズシフト量が１００μｍ以下であるか否かを判定する。レンズシフト量は、トラッキングエラー信号の低域成分振幅について、各測定セット毎の測定開始時及び測定終了時における平均値を算出したデータに基づいて決定する。トラッキングエラー信号の低域成分振幅とレンズシフト量の関係は、予め求めておく。レンズシフト量が１００μｍ以下であればステップＳ１４に進み、レンズシフト量が１００μｍを超えていればステップＳ１５に進む。ステップＳ１４では、１セット分の測定における有効データとされたサンプリング点での測定データの平均値から、ウォブル振幅の平均値を算出する。
【００６４】
ステップＳ１４の終了後、あるいはステップＳ１２、ステップＳ１３からステップＳ１５に進んだときには、所定セット数の測定が完了したか否かが判断され、終了していない場合はステップＳ１１に戻る。３６セットの測定が終了したらステップＳ１６に進む。ステップＳ１６では、各測定セットにより算出されたウォブル振幅の平均値を算出して、ウォブル振幅の検出結果のデータとし、動作を終了する。
【００６５】
なお、図４に示したように、ステップＳ３におけるウォブル振幅及びレンズシフトの測定（ステップＳ３ａ）は、ウォブル差動バランスを１：１に設定して行う。すなわち、図２に示したように、ウォブル差動バランス調整部１０により内周側及び外周側振幅調整部１７、１８の利得の比が、Ｇｏ：Ｇｉ＝１：１に設定される。
【００６６】
図４に示したフローにおいて、ステップＳ３を終了後、ステップＳ４では、ステップＳ３で検出されたウォブル振幅が、所定の判別閾値（基準値）を超えているか否かが判別される。ウォブル振幅が判別閾値以下であれば、ステップＳ５に進み、装着されている光ディスク１がＣＤ−ＲＯＭであると判定する。ウォブル振幅が判別閾値を超えていれば、ステップＳ６に進む。ウォブル振幅が判別閾値を超えている場合に直ちにＣＤ−Ｒと判定しないのは、ウォブル差動バランスの設定によっては、ウォブル振幅が正しい値よりも大きく検出される場合があるからである。ウォブル振幅が所定の閾値以下の場合に、直ちにＣＤ−ＲＯＭと判定するのは、ウォブル差動バランスの設定によって、ウォブル振幅が正しい値よりも小さく検出されることはないからである。
【００６７】
このように、ステップＳ４では、ＣＤ−ＲＯＭ／Ｒ判別、すなわち装着されている光ディスク１がＣＤ−ＲＯＭかＣＤ−Ｒかが判別される。なお、ステップＳ４でウォブル振幅を比較する判別閾値は、光ピックアップ３毎に最適化した値を用いる。
【００６８】
続くステップＳ６では、ステップＳ３と同様、図５に示したフローでウォブル振幅の検出を行う。ステップＳ６は、ウォブル振幅及びレンズシフトの測定（ステップＳ６ａ）と、ウォブル振幅の計算（ステップＳ６ｂ）を含む。ステップＳ６ａでは、ウォブル差動バランスを１．１：０．９に設定する。ステップＳ６を終了後、ステップＳ７では、ステップＳ４と同様にして、ステップＳ６で検出されたウォブル振幅が、判別閾値を超えているか否かが判定される。ウォブル振幅が判別閾値以下であれば、ステップＳ５に進み、装着されている光ディスク１がＣＤ−ＲＯＭであると判定する。ウォブル振幅が判別閾値を超えていれば、ステップＳ８に進む。
【００６９】
ステップＳ８でも、ステップＳ３と同様、図５に示したフローでウォブル振幅の検出を行う。ステップＳ８は、ウォブル振幅及びレンズシフトの測定（ステップＳ８ａ）と、ウォブル振幅の計算（ステップＳ８ｂ）を含む。ステップＳ８ａでは、ウォブル差動バランスを０．９：１．１に設定する。ステップＳ８を終了後、ステップＳ９では、ステップＳ４と同様にして、ステップＳ８で検出されたウォブル振幅が、判別閾値を超えているか否かが判定される。ウォブル振幅が判別閾値以下であれば、ステップＳ５に進み、装着されている光ディスク１がＣＤ−ＲＯＭであると判定する。ウォブル振幅が判別閾値を超えていれば、ステップＳ１０に進み、装着されている光ディスク１がＣＤ−Ｒであると判定する。
【００７０】
以上のように、ステップＳ３、Ｓ６及びＳ８により、それぞれウォブル差動バランスを異ならせた複数の測定を行うことにより、ディスク種類の判別を行う。このような方法を用いる理由は、製造工程におけるウォブル差動バランスの調整、すなわち、図２に示した外周側振幅調整部１８の利得Ｇｏと、内周側振幅調整部１７の利得Ｇｉの比Ｇｏ／Ｇｉの調整を不要とするためである。
【００７１】
通常、ウォブル信号を精度良く生成するためには、製造工程でウォブル差動バランスの調整が行われる。すなわち、光ピックアップ、ＩＣ／ＬＳＩ等の特性のばらつきに起因して、光検出信号の内周側及び外周側成分の加算信号には、本来の信号強度とは異なるアンバランスが発生するため、ウォブル振幅検出部１１に供給されるまでにそのアンバランスを緩和する必要があるからである。
【００７２】
製造工程におけるウォブル差動バランスの調整を行わない場合、図６に示すように、ウォブル差動バランスのずれに応じたウォブル振幅の変動を生じる。図６は、ウォブル差動バランスの変化に対するウォブル振幅変動の特性を示す。同図における横軸はウォブル差動バランス（Ｇｏ／Ｇｉ）を示し、縦軸はウォブル振幅を示す。同図の関係は図３と同様、ＣＤ−ＲＯＭについて測定されたものである。
【００７３】
図６の特性では、ウォブル差動バランスが１／１より少し大きい値のときに、ウォブル振幅の検出値が最小になっている。ウォブル差動バランスがその値からずれている場合には、ＣＤ−ＲＯＭのウォブル振幅が大きく検出される。基本的には、ウォブル振幅が最小値を示したときに、ウォブル差動バランスが最適に設定され、ウォブル信号が最適の状態で検出されているものと考えられる。このように、ウォブル差動バランスずれに起因するウォブル振幅の変動が大きいと、ディスク種類の誤判別の原因となる。
【００７４】
従って本実施の形態では、ディスク種類の誤判別を回避しながら製造工程におけるウォブル差動バランスの調整を不要とするために、図４に示したような、ウォブル差動バランス（の比）を異ならせた複数回のウォブル振幅の検出のための測定を行う。それによりウォブル差動バランスの調整なしで誤判別を回避できる理由は、以下のとおりである。
【００７５】
すなわち、複数の測定用ウォブル差動バランスを適切に設定すれば、ＣＤ−ＲＯＭからウォブル振幅を検出したときに、少なくとも１つのウォブル差動バランス設定値において、判別閾値を超えないウォブル振幅が検出されるようにすることは可能である。図４に示したフローは、ウォブル差動バランスを異ならせてウォブル振幅の検出を３回行ったとき、１回でも判別閾値を超えないウォブル振幅が検出されたときは、ＣＤ−ＲＯＭと判定することを意味する。これに対して、全ての測定においてウォブル振幅が判別閾値を超えたときは、ＣＤ−Ｒと判定する。このように、本実施の形態のフローによれば、製造工程においてウォブル差動バランスの調整が行われていなくとも、ディスク種類の判別を適切に実施可能である。
【００７６】
なお、上述の複数の測定用ウォブル差動バランスの設定は一例であり、設定数、設定値等、装置の特性に合わせて適宜選択することができる。
【００７７】
上述のウォブル差動バランスの調整と同様、光ピックアップ、ＩＣ／ＬＳＩ等の特性のばらつきに対処するため、従来の製造工程においては、ウォブルバンドパスフィルタ２１（図２参照）の通過特性の中心周波数（ｆｂ）についても、ウォブル信号の中心周波数（ｆｗ）からのずれが調整されていた。本実施の形態によれば、このウォブルバンドパスフィルタ２１の通過特性の中心周波数についても、製造工程での調整なしで、ウォブル信号の安定した検出が可能になる。
【００７８】
図７に、バンドパスフィルタの通過特性と、検出されるウォブル振幅の関係を示す。横軸は、バンドパスフィルタの中心周波数の設定値（ｆｂ）を示し、縦軸は、検出されるウォブル振幅を示す。ｆｗは、ウォブル信号の中心周波数である。製造工程での調整を実施する場合は、ｆｂをこのｆｗに一致させるように調整が行われる。
【００７９】
各曲線は、バンドパスフィルタの中心周波数（ｆｂ）のｆｗからのずれ量が大きくなるに従って、ウォブル振幅の低下が大きくなることを示している。Ｑ＝３．０の場合、Ｑ＝０．７の場合の特性がそれぞれ示される。これらの曲線から判るように、Ｑ値が大きくなるにつれて、バンドパスフィルタの中心周波数（ｆｂ）のｆｗからのずれ量に起因するウォブル振幅の低下が大きくなることが判る。すなわちＱ＝３．０の場合に比べて、Ｑ＝０．７では、バンドパスフィルタの中心周波数（ｆｂ）に依存してウォブル振幅が低下する傾向が弱くなる。
【００８０】
従って、Ｑ値を小さくして、バンドパスフィルタの中心周波数（ｆｂ）に対するウォブル振幅の依存性を低下させれば、製造工程におけるｆｂの調整が不要となる。バンドパスフィルタの中心周波数（ｆｂ）に対するウォブル振幅の依存性を排除するためには、Ｑ値が小さい程良いが、ノイズを除去する精度が低くなるので、必要な特性を考慮してＱ値を設定することが望ましい。
【００８１】
本実施の形態の構成によれば、Ｑ値を約０．７とすれば、製造工程におけるｆｂの調整なしに、しかも十分にＳＮＲ（Signal to Noise Ratio）を確保して、ウォブル信号の安定した検出が可能であった。また、Ｑ値を０．５まで低減させても、十分にＳＮＲを確保することは可能であった。Ｑ値が０．７より大きくても、製造工程におけるｆｂの調整を不要とすることは可能であるが、ｆｂの調整を不要とすることが可能なＱ値の上限は、使用するデバイスのバンドパスフィルタの中心周波数のばらつき等に依存するため、状況に応じて適宜設定することが望ましい。いずれにしても、０．５≦Ｑ≦０．７の範囲であれば、製造工程におけるｆｂの調整なしに、十分にＳＮＲを確保して、ウォブル信号の安定した検出が可能である。
【００８２】
なお、上述の構成におけるウォブル差動バランス調整部１０によるウォブル差動バランスの調整、バンドパスフィルタ２１のＱ値についての上述のような設定は、本発明の基本的な構成に対して必須ではない。それらを用いなくとも、本発明の基本的な構成により、光ディスクの種類の判別に実用上の十分な安定性をもたらすことができる。
【産業上の利用可能性】
【００８３】
本発明の光ディスク装置は、ウォブル信号の振幅に基づき、安定して光ディスクの種類を判別可能であって、再生専用の光ディスクと記録可能な光ディスクを共用するＣＤあるいはＤＶＤ装置等に有用である。
【図面の簡単な説明】
【００８４】
【図１】本発明の実施の形態における光ディスク装置の、ディスク判別機能に関する要部の概略構成を示すブロック図
【図２】同光ディスク装置におけるウォブル振幅検出ブロック９の構成をより詳細に示すブロック図
【図３】レンズシフト量とそれに起因して変動したウォブル信号の振幅の関係を示す図
【図４】図１の光ディスク装置における光ディスクの種類を判別する動作を示すフローチャート
【図５】図４のフローにおけるウォブル振幅の検出の動作を詳細に示すフローチャート
【図６】図１の光ディスク装置におけるウォブル差動バランスとウォブル振幅の関係を示す図
【図７】図１の光ディスク装置でウォブル信号生成のために用いられるバンドパスフィルタのウォブル信号に対する通過特性を示す図
【図８】図１の光ディスク装置におけるウォブル振幅検出部１１の構成をより詳細に示すブロック図
【符号の説明】
【００８５】
１  光ディスク
２  スピンドルモータ
３  光ピックアップ
４  ウォブル信号生成部
５  情報信号再生部
６  トラッキングエラー信号生成部
７  フォーカスエラー信号生成部
８  サーボ制御部
９  ウォブル振幅検出ブロック
１０  ウォブル差動バランス調整部
１１  ウォブル振幅検出部
１２  振幅比較部
１３  レンズシフト量検出部
１４  判別制御部
１５  内周側加算信号生成部
１６  外周側加算信号生成部
１７  内周側振幅調整部
１８  外周側振幅調整部
１９  第一の差動信号生成部
２０  ローパスフィルタ
２１  バンドパスフィルタ
２２  ピーク信号検出部
２３  ボトム信号検出部
２４  第二の差動信号生成部
【図１】
2009099188.tif 000003
【図２】
2009099188.tif 000004
【図３】
2009099188.tif 000005
【図４】
2009099188.tif 000006
【図５】
2009099188.tif 000007
【図６】
2009099188.tif 000008
【図７】
2009099188.tif 000009
【図８】
2009099188.tif 000010